(57)【特許請求の範囲】
【請求項１】
（Ａ）グリシン、アラニンおよびβ−アラニンから選ばれるアミノ酸の、アシル基が炭素原子数８〜20の脂肪酸残基であるＮ−アシルアミノ酸塩および（Ｂ）炭素原子数８〜20の高級脂肪酸塩を成分（Ａ）／成分（Ｂ）＝99.5/0.5〜90/10の重量比で含有することを特徴とする洗浄剤組成物。
【請求項２】
成分（Ａ）および成分（Ｂ）に加えて、これらの合計量に対して炭素原子数８〜24の高級アルコールをも0.5〜20重量％含有することを特徴とする請求項１記載の洗浄剤組成物。
【請求項３】
pHが6.5〜９である請求項１記載の洗浄剤組成物。
【請求項４】
多価アルコールを含有することを特徴とする請求項１記載の洗浄剤組成物。
【請求項５】
Ｎ−アシルアミノ酸塩が、ナトリウム、カリウム、トリエタノールアミン、ジエタノールアミン、モノエタノールアミン、リジン、オルニチンおよびアルギニン塩からなる群より選ばれる２種以上の組合せである請求項１記載の洗浄剤組成物。
【請求項６】
アニオン（ただし成分（Ａ）を除く。）、ノニオンおよび両性の界面活性剤から選ばれる１種または２種以上を含有する請求項１記載の洗浄剤組成物。
【発明の詳細な説明】
（技術分野）
本発明は、Ｎ−アシルグリシン塩、Ｎ−アシルアラニン塩および／またはＮ−アシルβ−アラニン塩と高級脂肪酸塩とを併用してなる洗浄剤組成物、ならびにさらに高級アルコールおよび／または多価アルコールを配合することにより使用感の改善された洗浄剤組成物に関する。
（背景技術）
Ｎ−アシルアミノ酸塩は、一般に安全性の高い界面活性剤として知られ、特にＮ−アシルグルタミン酸塩、Ｎ−アシルザルコシン塩、Ｎ−アシルβ−アラニン塩およびＮ−アシルメチルタウリン塩等は広く洗浄剤に用いられている。他のＮ−アシルアミノ酸塩についても、非常に古くから研究されており、天然アミノ酸および合成可能なアミノ酸について実際にＮ−アシルアミノ酸が合成され、検討されてきた。特に、天然アミノ酸のＮ−アシル体の検討成果に関しては、多くの報告がある。
近年では、Ｎ−アシルグリシン塩、Ｎ−アシルβ−アラニン塩等が水道水中のカルシウムと作るスカムが良好な感触をもつことが見いだされたと報告されている（特開平４−221607）。しかしながら、この報告にあるＮ−アシルアミノ酸塩および他の天然型Ｎ−アシルアミノ酸塩については、泡性能に関して泡の保持、クリーミー性、起泡力、ぬめりの点で性能が充分とはいえなかった。
本発明の目的は、Ｎ−アシルアミノ酸塩を含有する、安全性が高く、泡立ちが迅速で良好かつクリーミーで、肌のぬるつき感が少ない優れた洗浄剤組成物を提供することにある。
（発明の開示）
本発明者は、上記目的を達成すべく鋭意研究の結果、特定のＮ−アシルアミノ酸の塩と特定の高級脂肪酸の塩とを併用することにより、またはこれらに加えて特定の高級アルコールおよび／または多価アルコールを併用することにより、上記の性能を有する優れた洗浄剤組成物を提供できることを見出し、このような知見に基いて本発明をなすに到った。
すなわち、本発明は、（Ａ）グリシン、アラニンおよびβ−アラニンから選ばれるアミノ酸の、アシル基が炭素原子数８〜20の脂肪酸残基であるＮ−アシルアミノ酸塩および（Ｂ）炭素原子数８〜20の高級脂肪酸塩を成分（Ａ）／成分（Ｂ）＝99.5/0.5〜90/10の重量比で含有することを特徴とする洗浄剤組成物、及びこのような洗浄剤組成物であってさらに高級アルコールおよび／または多価アルコールを含有することを特徴とする洗浄剤組成物に関する。
以下、本発明について逐次説明する。
本発明の洗浄剤組成物の成分（Ａ）であるＮ−アシルアミノ酸塩の、Ｎ−アシルアミノ酸としては、グリシン、アラニンおよびβ−アラニンから選ばれるアミノ酸の、アシル基が炭素原子数８〜20の飽和または不飽和の脂肪酸残基であるものであって、例えばラウロイルグリシン、ココイルグリシン、ミリストイルグリシン、パルミトイルグリシン、ステアロイルグリシン、オレオイルグリシン、ラウロイルβ−アラニン、ココイルβ−アラニン、ミリストイルβ−アラニン、パルミトイルβ−アラニン、ステアロイルβ−アラニン、オレオイルβ−アラニン、ラウロイルアラニン、ココイルアラニン、ミリストイルアラニン、パルミトイルアラニンおよびステアロイルアラニン等を例示することができ、これらのＮ−アシルアミノ酸は光学活性体およびラセミ体のいずれでもよい。一方、塩基成分としては、ナトリウム、カリウムなどのアルカリ金属、トリエタノールアミン、ジエタノールアミン、モノエタノールアミンなどのアルカノールアミン等の有機アミン、およびリジン、オルニチン、アルギニンなどの塩基性アミノ酸が挙げられる。塩基成分は２種以上を組合せて用いてもよく、その場合、泡立ち、泡保持がさらに改善される。
成分（Ｂ）である高級脂肪酸塩の、高級脂肪酸としては、炭素原子数８〜20の直鎖または分枝鎖の飽和または不飽和のものであって、特にラウリン酸、ミリスチン酸、パルミチン酸、ステアリン酸、椰子油脂肪酸、硬化牛脂脂肪酸およびオレイン酸を例示することができ、一方、塩基成分は、成分（Ａ）のＮ−アシルアミノ酸塩の上記の塩基成分から選ぶことができる。
上記のＮ−アシルアミノ酸塩は、もちろん、それらのいずれか１種を単独に使用することもできるし、２種以上を併用することもできる。上記の高級脂肪酸塩についても事情は同じである。
本発明の洗浄剤組成物における成分（Ａ）と成分（Ｂ）との含有割合（重量比）については、成分（Ａ）／成分（Ｂ）＝100/0では泡質が荒く、泡の保持が悪く、泡量も十分でない。成分（Ａ）／成分（Ｂ）＝99.5/0.5からＢの増泡効果が顕著となり、泡保持、泡質のクリーミー性、ぬるつきのなさ、および泡切れが良好となり、成分（Ａ）／成分（Ｂ）＝98/2で比較的良好な泡保持を示し、成分（Ａ）／成分（Ｂ）＝97/3でほぼ効果が一定となる。成分（Ａ）／成分（Ｂ）＝90/10を越えると特異臭およびきしみ感が急激に増加し、洗浄剤組成物の使用感を損ねる。
特定のＮ−アシルアミノ酸塩および特定の高級脂肪酸塩からなる有効成分に加えて特定の高級アルコールを併用すると、きしみが生じずにさっぱり感が増強される。
このような高級アルコールとしては、炭素原子数８〜24の直鎖または分枝鎖の飽和または不飽和のものであって、特にラウリルアルコール、ミリスチルアルコール、ステアリルアルコール、セタノール、セトステアリルアルコールなどが挙げられる。これらの高級アルコールは、もちろん、これらのいずれか１種を単独に使用することもできるし、２種以上を併用することもえきるが、併用する方がより少量の使用で効果をあげることがある。
高級アルコールの使用量（併用したときは総使用量）は、成分（Ａ）および成分（Ｂ）の合計量に対して0.5〜20重量％が効果的で、この範囲の外ではさっぱりとした感触が得られ難い。
さらに、特定のＮ−アシルアミノ酸塩および特定の高級脂肪酸塩からなる有効成分に加えて多価アルコールを併用すると、肌や毛髪の硬化、かさつき、肌のつっぱり感を抑えることができる。
多価アルコールとしては、分子内に２個以上の水酸基を有するものであって、例えば、グリセリン、1,3−ブチレングリコール、オクタンジオール、エチレングリコール、ジエチレングリコール、ポリエチレングリコール、プロピレングリコール、ジプロピレングリコール、ポリプロピレングリコール、イソプレングリコール、マルチトール、ソルビトール、ペンタエリスリトール等があげられる。中では、グリセリン、1,3−ブチレングリコールおよびプロピレングリコールが使用感、泡質の点から好ましい。
多価アルコールの配合量は、全組成物中、３〜30重量％、好ましくは５〜20重量％である。３％未満では配合の効果がなく、30％を超えると泡質が悪くなり、使用感も劣り、好ましくない。
本発明の洗浄剤組成物のpHについては、使用時のpHが６〜10となるのが安全性の点から好ましく、更にpHが6.5〜９が使用感および起泡性の点から望ましい。そこで、本発明の洗浄剤組成物は、水に溶解したときのpHが、Ｎ−アシルアミノ酸塩の塩基成分の種類にもよって異なるが、上の範囲内に入るときはそのままでよいが、範囲外となるときは、範囲内に入るようにクエン酸、炭酸塩などのpH調節剤を予じめ配合含有させておくとよい。
本発明の洗浄剤組成物の洗浄剤としての剤型は、特に制限されず、液体状、ペースト状、固型状、粉末状等、任意の剤型とすることができる。
また、本発明の洗浄剤組成物は、その使用目的に応じて薬剤、殺菌剤、香料、色素、その他の化粧品および洗浄剤に慣用されている補助剤を、本発明の特長を阻害しない範囲で添加することができることはもちろんである。
本発明の洗浄剤組成物は、他のアニオン、ノニオンおよび両性界面活性剤と併用する場合にも泡性能において著しい相乗効果が認められる。
【図面の簡単な説明】
図１は、検査例１における結果を示す。
（発明を実施するための最良の形態）
以下、具体的な例を挙げて本発明を更に詳細に説明する。
検査例１
Ｎ−ラウロイルグリシンを公知のショッテンバウマン法で合成し、再結晶により、脂肪酸およびその他の不純物を取り除き、高純度のＮ−ラウロイルグリシン（純度99.95％以上）を得、水酸化カリウムで中和することによりＮ−ラウロイルグリシンのカリウム塩とした。
このＮ−ラウロイルグリシンのカリウム塩（成分（Ａ））とミリスチン酸カリウム（成分（Ｂ））とを種々の割合で使用して両者の合計濃度（界面活性剤濃度）が0.5重量％である数種類の水溶液（pH8.2）を調製した。各水溶液について、その50gを採り、350ml容の家庭用ミキサー「ミルサー」（岩谷産業（株）製）により撹拌し、泡の保持率を検査した。ここに、保持率＝（10分後の泡量（ml））／（直後の泡量（ml））×100である。
ミリスチン酸カリウムをラウリン酸カリウムに代えた以外は全く同様にして泡の保持率を検査した。
結果を図１に示す。この図から分るように、Ｎ−アシルアミノ酸塩単体では泡の保持率の点で十分でないにもかかわらず、Ｎ−アシルアミノ酸塩に高級脂肪酸塩の非常に少ない添加量（約２％で既にほぼ最高値に達した。）で泡の保持率が向上している。
クリーミー性を評価するために図１におけるＰ点およびＱ点において泡立てた直後の泡をスライドガラスにのせた後にカバーガラスをかけ、ファイバースコープ顕微鏡「スコープマン」（（株）モリテックス製）で観察し、また撮影した結果、脂肪酸塩を微量に添加したＰ点がクリーミー性に優れているのが分かったが、添加しなかったＱ点では観察中に泡が合一し、泡の不安定さが確認できた。
実施例１〜10および比較例１〜７
検査例１におけると同様にして、種々のＮ−アシルアミノ酸塩を作成した。
このＮ−アシルアミノ酸塩、高級脂肪酸塩および高級アルコールを第３表に示す種々の割合で使用して、全体の合計濃度（界面活性剤濃度）が0.5重量％である水溶液を多数種類調製した。各水溶液のpHは７〜８であった。各水溶液について、検査例１におけると同じ家庭用ミキサーにより撹拌して、下記第１表に示す評価項目について検査した。
0003635661.tif 000002
また、頭髪および身体用洗浄剤として、男女10名づつの専門パネラー20名の官能評価により、洗浄後の感触として、泡の感触、きしみ感、さっぱり感、ぬめり感および洗浄時の臭を評価した。官能評価に際しては、手洗い試験および洗髪試験は、それぞれ、第３表に示す割合で界面活性剤濃度30％および15％となるように蒸留水で希釈し、各溶液を調製して行なった。
各評価項目の評価基準を下記第２表に示す。
0003635661.tif 000003
結果を第３表にまとめて示す。
0003635661.tif 000004
0003635661.tif 000005
実施例11〜21および比較例８〜18
本発明の洗浄剤組成物と他の界面活性剤との併用効果を調べる目的で、前実施例におけると同様にして物性測定および官能検査を行った。ただし、各水溶液は各種の界面活性剤を第４表に示す量（ｇ）を秤量し、これに全量が100gとなるように精製水を加えて調製した。また、pHは７〜８であった。
結果を下記第４表に示す。
0003635661.tif 000006
0003635661.tif 000007
0003635661.tif 000008
0003635661.tif 000009
実施例22および23ならびに比較例19
本発明の洗浄剤組成物におけるpHの影響を調べる目的で、第５表に示す組成の洗浄剤組成物を調製し、その泡量および使用感を評価した。なお、各洗浄剤組成物のpHは水酸化カリウムまたはクエン酸により調整した。
0003635661.tif 000010
使用感は、男女10名の専門パネラー20名にて、上記各組成物を使用して前腕側部をナイロンタオルで洗浄した場合のつっぱり感および泡の保持について、次の基準により評価した。
つっぱり感  ◎：全くつっぱらない、○：つっぱらない、△：普通、×：つっぱる。
泡保持  ◎：大変良い、○：良い、△：普通、×：不十分である。
実施例24〜26
本発明の洗浄剤組成物における多価アルコール添加の効果を調べる目的で、第６表に示す組成の洗浄剤組成物を調製し、その泡量および使用感を評価した。
0003635661.tif 000011
実施例27〜31
本発明の洗浄剤組成物におけるＮ−アシルアミノ酸の塩の影響を調べる目的で第７表に示す組成の洗浄剤組成物を調製し、その泡量および使用感を評価した。尚、各洗浄剤組成物のpHは、塩基の25％水溶液を表に示す割合で混合したものを用いて調整した。
0003635661.tif 000012
実施例32
下記第８〜16表に示す原材料の種々の配合で、常法により各表に示す洗浄剤組成物を作成した。
0003635661.tif 000013
0003635661.tif 000014
0003635661.tif 000015
0003635661.tif 000016
0003635661.tif 000017
0003635661.tif 000018
0003635661.tif 000019
0003635661.tif 000020
0003635661.tif 000021
（産業上の利用可能性）
本発明により、Ｎ−アシルアミノ酸塩の洗浄剤としての性能が顕著に改善され、優れた洗浄剤組成物が容易に提供されるところとなった。
【図１】
0003635661.tif 000022